(57)【要約】  小型化を図りうるレンズ変位装置を提供する。  ハウジング４にレンズ２が収納されており、ハウジング４に、複数の変位部材３が第１の端部３ａ側において固定されており、変位部材３のハウジング４に固定されている部分を固定端として、変位部材３の第２の端部３ｂ側がレンズ２の厚み方向に移動し得るように構成されており、各変位部材が、平面視した場合、第１の変位部３ｅに対して、９０°以上、１８０°未満の角度をなすように連ねられている第２の変位部３ｆとを有し、第１の端部３ａと第２の端部３ｂとを結ぶ仮想線と第１の変位部３ｅと、第２の変位部３ｆとで囲まれた領域にレンズ２の一部が入り込むように変位部材３及びレンズ２が配置されている、レンズ変位装置１。
2015005216.tif 000002
【特許請求の範囲】
【請求項１】
周縁部を有するレンズと、前記レンズが収納されているハウジングと、第１及び第２の端部を有し、前記第１の端部側において前記ハウジングに固定されており、前記第１の端部側のハウジングに固定されている部分を固定端として、前記第２の端部側部分が前記レンズの厚み方向に移動し得るように構成されており、かつ前記第２の端部側部分が前記レンズの前記周縁部に直接または間接に固定されている複数の変位部材とを備え、
前記各変位部材が、前記第１の端部側に位置している第１の変位部と、前記第１の変位部に連ねられており前記第２の端部側に位置している第２の変位部とを有し、前記第１の変位部と前記第２の変位部とが前記レンズを平面視する方向からみたときに、９０°以上、１８０°未満の角度をなすように配置されており、前記第１の端部と前記第２の端部とを結ぶ仮想線と前記第１の変位部及び前記第２の変位部で囲まれた領域に前記レンズの一部が入り込むように前記各変位部材及びレンズが配置されており、
前記各変位部材を変位させる変位素子が設けられており、前記変位素子を駆動して前記複数の変位部材を変位させることにより前記レンズの位置及び向きの内の少なくとも一方を変化させ得る、レンズ変位装置。
【請求項２】
前記レンズの前記周縁部に固定されたリング状支持部材をさらに備え、前記リング状支持部材に前記各変位部材の第２の端部が連結されている、請求項１に記載のレンズ変位装置。
【請求項３】
前記変位部材が、前記レンズにおける該レンズの光軸と直交する方向の平面と同一平面上に位置している、請求項１または２に記載のレンズ変位装置。
【請求項４】
前記変位部材が、板状の形状を有し、前記第１の変位部及び第２の変位部が、それぞれ、長さ方向を有する平板状の形状を有する、請求項１〜３のいずれか１項に記載のレンズ変位装置。
【請求項５】
前記変位部材の第２の端部側において、前記変位部材の残りの部分に比べて変形が容易な易変形部分が該変位部材に設けられている、請求項１〜４のいずれか１項に記載のレンズ変位装置。
【請求項６】
前記変位素子が、圧電板と、前記圧電板に設けられた複数の電極とを有する圧電素子である、請求項１〜５のいずれか１項に記載のレンズ変位装置。
【請求項７】
前記圧電素子が前記圧電板の屈曲変位を利用する圧電素子である、請求項６に記載のレンズ変位装置。
【請求項８】
前記第１の変位部が前記ハウジングに固定されている部分における第１の変位部の変位に際しての回転軸回りの回転方向と、前記第２の変位部が前記レンズに直接または間接的に連結されている部分における第２の変位部の変位に際しての回転軸回りの回転方向とが逆方向とされている、請求項１〜７のいずれか１項に記載のレンズ変位装置。
【請求項９】
前記レンズの該レンズの光軸と直交する表面が平面である、請求項１〜８のいずれか１項に記載のレンズ変位装置。
【請求項１０】
前記複数の変位素子を前記レンズの光軸方向にみたときに、前記複数の変位素子が、前記ハウジングの一部に重なり合っている、請求項１〜９のいずれか１項に記載のレンズ変位装置。
【発明の詳細な説明】
【技術分野】
【０００１】
本発明は、レンズの光軸方向の位置やレンズの向きを変位させるためのレンズ変位装置に関する。
【背景技術】
【０００２】
下記の特許文献１には、光ピックアップ用アクチュエータが開示されている。この光ピックアップ用アクチュエータでは、対物レンズに、対物レンズの外周縁を支持するレンズ支持部が設けられている。レンズ支持部は、板バネにより該レンズ支持部を変位させ得るように支持されている。この板バネは、矩形の枠状部分と、枠状部分に連結された複数の弾性片とを有する。各弾性片が、枠状部分の内側縁から内方に延ばされている。そして、弾性片の先端がレンズ支持部に連結されている。弾性片には、圧電素子が貼り合わされている。圧電素子を駆動することにより弾性片を変位させることができる。それによって、対物レンズの傾きや光軸方向位置を変化させることができるとされている。
【先行技術文献】
【特許文献】
【０００３】
【特許文献１】特開２００１−１４７０６号公報
【発明の概要】
【発明が解決しようとする課題】
【０００４】
特許文献１に記載の光ピックアップ用アクチュエータでは、矩形の枠状部分を有する板バネが用いられていた。そのため、複数の弾性片の外側に上記枠状部分が設けられているため、小型化が困難であった。【０００５】
本発明の目的は、小型化をより一層図り得るレンズ変位装置を提供することにある。
【課題を解決するための手段】
【０００６】
本発明に係るレンズ変位装置は、周縁部を有するレンズと、上記レンズが収納されているハウジングと、複数の変位部材とを備える。複数の変位部材は、それぞれ、第１及び第２の端部を有する。各変位部材は、第１の端部側において上記ハウジングに固定されている。第１の端部側のハウジングに固定されている部分を固定端として、第２の端部側部分が上記レンズの厚み方向に移動し得るように各変位部材が構成されている。また、各変位部材は、上記第２の端部側部分において、上記レンズの上記周縁部に直接または間接に固定されている。【０００７】
本発明では、各変位部材は、上記第１の端部側に位置している第１の変位部と、上記第１の変位部に連ねられておりかつ上記第２の端部側に位置している第２の変位部とを有する。上記第１の変位部と上記第２の変位部とは、レンズを平面視する方向からみたときに、９０°以上、１８０°未満の角度をなすように配置されている。上記第１の端部と上記第２の端部とを結ぶ仮想線と上記第１の変位部及び上記第２の変位部で囲まれた領域に上記レンズの一部が入り込むように上記各変位部材及びレンズが配置されている。さらに、上記各変位部材を変位させる変位素子が設けられており、上記変位素子を駆動して上記複数の変位部材を変位させることによりレンズの位置及び向きの内の少なくとも一方を変化させ得る。【０００８】
本発明に係るレンズ変位装置のある特定の局面では、上記レンズの上記周縁部に固定されたリング状支持部材がさらに備えられている。上記リング状支持部材に上記各変位部材の第２の端部が連結されている。【０００９】
本発明に係るレンズ変位装置の他の特定の局面では、上記変位部材が、上記レンズにおける該レンズの光軸と直交する方向の平面と同一平面上に位置している。【００１０】
本発明に係るレンズ変位装置のさらに別の特定の局面では、上記変位部材が、板状の形状を有し、上記第１の変位部及び第２の変位部が、それぞれ、長さ方向を有する平板状の形状を有する。【００１１】
本発明に係るレンズ変位装置のさらに他の特定の局面では、上記変位部材の第２の端部側において、変位部材の残りの部分に比べて変形が容易な易変形部分が該変位部材に設けられている。好ましくは、上記変位素子は、圧電素子である。この場合、圧電素子は、圧電板と、圧電板に設けられた複数の電極とを有する。圧電板の屈曲変位を利用する圧電素子であることがより一層望ましい。【００１２】
本発明に係るレンズ変位装置のさらに他の特定の局面では、上記第１の変位部が上記ハウジングに固定されている部分における第１の変位部の変位に際しての回転軸回りの回転方向と、上記第２の変位部が上記レンズに直接または間接的に連結されている部分における第２の変位部の変位に際しての回転軸回りの回転方向とが逆方向とされている。【００１３】
本発明に係るレンズ変位装置のさらに他の特定の局面では、上記レンズの該レンズの光軸と直交する表面が平面である。【００１４】
本発明に係るレンズ変位装置のさらに他の特定の局面では、上記複数の変位素子を上記レンズの光軸方向にみたときに、上記複数の変位素子が、上記ハウジングの一部に重なり合っている。
【発明の効果】
【００１５】
本発明に係るレンズ変位装置によれば、上記第１，第２の変位部を有する複数の変位部材が、レンズの周縁部に直接または間接に固定されている構造を有するため、レンズ変位装置の小型化を図ることが可能となる。
【図面の簡単な説明】
【００１６】
【図１】図１は、本発明の第１の実施形態に係るレンズ変位装置の斜視図である。
【図２】図２は、本発明の第１の実施形態に係るレンズ変位装置の平面図である。
【図３】図３は、本発明の第１の実施形態に係るレンズ変位装置の分解斜視図である。
【図４】図４（ａ）は、第１の実施形態で用いられている変位部材の平面図であり、図４（ｂ）及び図４（ｃ）は変位部材に固定されている圧電素子の斜視図及び正面断面図である。
【図５】図５は、第１の実施形態において、レンズがリング状支持部材に支持されている構造を示す正面断面図である。
【図６】図６（ａ）及び図６（ｂ）は、第１の実施形態の変形例におけるレンズをリング状支持部材で支持してなる構造の正面断面図及び平面図である。
【図７】図７（ａ）及び図７（ｂ）は、本発明の第１の実施形態において、変位部材を変位させる動作を説明するための各模式的部分切欠正面図である。
【図８】図８は、第１の実施形態のレンズ変位装置における変位素子の配置個数と、変位量との関係を示す図である。
【図９】図９は、第１の実施形態のレンズ変位装置における変位部材と支持部との接合部分の他の例を示す部分拡大斜視図である。
【図１０】図１０は、変位部材の第２の端部側に設けられている易変形部の第２の例を示す部分切欠斜視図である。
【図１１】図１１は、変位部材の第２の端部側に設けられている易変形部の第３の例を示す部分切欠斜視図である。
【図１２】図１２は、変位部材の第２の端部側に設けられている易変形部の第４の例を示す部分切欠斜視図である。
【図１３】図１３は、変位部材の第２の端部側に設けられている易変形部の第５の例を示す部分切欠斜視図である。
【図１４】図１４は、変位部材の第２の端部側に設けられている易変形部の第６の例を示す部分切欠斜視図である。
【図１５】図１５は、易変形部を有しないレンズ変位装置におけるレンズの変位挙動の一例を示すための模式的正面図である。
【図１６】図１６は、易変形部を有する実施形態におけるレンズの変位挙動を示す模式的正面図である。
【図１７】図１７は、変位部材の第１の端部側の固定部分及び第２の端部側におけるレンズとの連結部分における屈曲変位に際しての回転の中心となる回転軸と変位方向との関係を示す模式的正面断面図である。
【図１８】図１８は、本発明で用いられる変位部材及び変位素子のさらに他の変形例を示す斜視図である。
【発明を実施するための形態】
【００１７】
以下、図面を参照しつつ、本発明の具体的な実施形態を説明することにより、本発明を明らかにする。
【００１８】
図１は、本発明の第１の実施形態に係るレンズ変位装置を示す斜視図であり、図２はその平面図であり、図３は分解斜視図である。
【００１９】
本実施形態のレンズ変位装置１は、携帯電話機のカメラのレンズと、該レンズを変位させるアクチュエータとを含むレンズ変位装置である。
【００２０】
本実施形態では、レンズ２が変位される。すなわち、後述するアクチュエータによりレンズ２を光軸方向に移動させたり、レンズ２を傾かせたり、レンズ２の光軸に対する傾きを調整することを可能としている。
【００２１】
図３に示すように、レンズ２を駆動するために、複数の変位部材３が設けられている。複数の変位部材３は、ハウジング４に一端側で固定されている。上記アクチュエータは、複数の変位部材３及びハウジング４を有する。
【００２２】
ハウジング４は、金属や合成樹脂やセラミックスなどからなり、中央に開口５ａを有する底板部５を有する。開口５ａは、レンズ２が光軸方向に移動することを可能とするために設けられている。
【００２３】
底板部５のコーナー部分において、上方に突出するように、取付部６が設けられている。取付部６の高さは底板部５の上面よりも高くされている。
【００２４】
各取付部６の上面に、各変位部材３が固定される。
【００２５】
取付部６は、底板部５と一体に形成されている。もっとも、取付部６は、底板部５と別部材で構成されていてもよい。
【００２６】
本実施形態では、矩形板状の金属板７を打ち抜くことにより、変位部材３と支持部８とが一体に形成されている。支持部８は、円環状の形状を有する。支持部８は本発明におけるリング状支持部材に相当する。支持部８に、レンズ２の周縁部２ａが固定される。この固定構造は特に限定されない。例えば図５に正面断面図で示すように、円環状の支持部８の上面に、レンズ２の周縁部２ａを重ね、接合材９により接合し、固定してもよい。
【００２７】
図３に戻り、上記円環状の支持部８に、変位部材３の先端が重ねられている。ここで、１つの変位部材３は、図４（ａ）に平面図で示すように、第１の端部３ａと、第１の端部３ａとは反対側の第２の端部３ｂとを有する。第１の端部３ａ近傍部分が、固定部３ｃを構成している。この固定部３ｃには、複数の固定孔３ｄが設けられている。固定孔３ｄから、例えばボルトを挿通することにより、固定部３ｃを取付部６に固定することができる。また、固定孔３ｄを通じて接合材を充填することにより固定することや、はんだ材を用いることにより、固定部３ｃを取付部６に固定してもよい。このようにして、第１の端部３ａ側において、変位部材３を、レンズを平面視する方向からハウジング４に固定することが可能とされている。
【００２８】
他方、変位部材３は、平面視した場合、外周縁が略矩形の金属板７の１つの辺に沿って延びる第１の変位部３ｅと、第１の変位部３ｅに連ねられている第２の変位部３ｆとを有する。第１の変位部３ｅと第２の変位部３ｆとは、平面視した場合、９０°以上、１８０°未満の角度をなすように配置されている。
【００２９】
第２の端部３ｂは、本実施形態では、上記支持部８に連ねられている。もっとも、本発明において、変位部材３の第２の端部３ｂは、別部材からなる支持部８に接合されていてもよい。
【００３０】
変位部材３は、第１の端部３ａ側においてハウジング４に固定されている。それによって、固定端が構成されている。他方、第２の端部３ｂ側は、円環状の支持部８に連ねられているものの、自由端として変位可能とされている。
【００３１】
また、第２の変位部３ｆにおいては、第２の端部３ｂ近傍に易変形部３ｇが形成されている。易変形部３ｇは、切欠き３ｇ１，３ｇ２を有する。切欠き３ｇ１，３ｇ２は、第２の変位部３ｆにおいて、一方側辺側及び他方側辺側から切欠くことにより形成されている。これらの切欠き３ｇ１，３ｇ２が形成されているため、易変形部３ｇは、外力により容易に変形する。従って、変位部材３の第２の端部３ｂの変位が妨げられ難い。
【００３２】
なお、第１の変位部３ｅは、前述した固定部３ｃを一端側に有している。第１の変位部３ｅは、固定部３ｃから、第２の変位部３ｆ側にいくにつれて、第１の変位部３ｅの幅が狭くなっていく部分を有する。そして、この幅が変化する部分に続いて、第１の変位部３ｅは、ほぼ一定の幅の部分を有する。この一定幅部分が、第２の変位部３ｆに連ねられている。
【００３３】
上記変位部材３の上面には、図４（ｂ）に示す圧電素子１１が貼り合わされている。圧電素子１１は、図４（ｃ）に示すように、圧電板１１ａと、圧電板１１ａの上面及び下面に形成された電極１１ｂ，１１ｃとを有する。圧電素子１１では、電極１１ｂ，１１ｃに直流電圧もしくは、交流電圧を印加することにより、圧電素子１１が屈曲する。
【００３４】
また、本実施形態のレンズ変位装置１では、上記変位部材３を変位させる場合、電圧印加方向により図７（ａ）または図７（ｂ）に示すように変位部材３が変位する。なお、図７（ａ）及び図７（ｂ）における圧電素子１１中の矢印は圧電板の伸縮方向を示し、矢印Ａ１及び矢印Ａ２は、変位部材３の変位方向を示す。このように、変位部材３の先端である第２の端部３ｂ側が上下方向に移動する。
【００３５】
上記のように、圧電素子１１が貼り合わされた変位部材３も屈曲モードで変形することとなる。この場合、変位部材３は、固定部３ｃがハウジング４の取付部６に固定されているため、第２の端部３ｂ側が上下方向に移動するように変形することとなる。第２の端部３ｂは、支持部８に連ねられている。従って、支持部８に固定されているレンズ２が、複数の変位部材３の第２の端部３ｂが上下方向に移動することにより、レンズ２が上下方向すなわち光軸方向に移動することとなる。複数の変位部材３により、第２の端部３ｂを同相で同じ量だけ変位させた場合、レンズ２を光軸方向に移動させることができる。
【００３６】
また、複数の変位部材３の第２の端部３ｂの変位量や変位方向を異ならせることにより、レンズ２を光軸方向に対して傾けさせることもできる。すなわち、複数の変位部材３の変位量を調整することにより、レンズ２を光軸方向に移動させたり、レンズ２を傾かせたり、レンズ２の傾きを調整したりすることができる。
【００３７】
本実施形態のレンズ変位装置１では、上記レンズ２を駆動するアクチュエータが、上記金属板７をくり抜くことにより形成された複数の変位部材３と、圧電素子１１とを有する。この複数の変位部材３は、第１の変位部３ｅと第２の変位部３ｆとを有する。図２で示すように、レンズ２は、第１の端部３ａと第２の端部３ｂとを結ぶ仮想線Ｘと第１，第２の変位部３ｅ，３ｆとで囲まれた領域に入り込むように設けられている。言い換えれば、平面視した場合、レンズ２に沿って、レンズ２の一部を囲むように変位部材３が配置されている。従って、レンズ２の周りに変位部材３を効率良く配置することができるため、アクチュエータの外形を小さくすることができる。
【００３８】
さらに、アクチュエータ内でハウジング４が変位部材３をレンズを平面視する方向から保持している。従って、変位部材３が固定端として使用する面積は固定部３ｃの面積である。このことにより、アクチュエータの外形をより小さくすることが出来る。
【００３９】
前述した特許文献１に記載の光ピックアップ用アクチュエータでは、弾性片が枠部で固定されており、枠部の面積分が必要となる。従って、小型化を図ることが困難であった。
【００４０】
これに対して、本実施形態では、ハウジング４の取付部６と固定部３ｃを固定し、ハウジング４と変位部材３をレンズを平面視する方向で重なるように配置している。従って、レンズ２を平面視する方向から見た場合、固定に使用している面積が小さくなり、アクチュエータの平面面積を小さくすることができる。特に、本実施形態では、図１及び図２に示すように、１つの変位部材３の、第１の端部３ａから一定幅部分に至るように幅方向寸法が小さくなる部分において、変位部材３の内縁３ｈとレンズ２との間に、隣の変位部材３の第２の変位部３ｆが入り込むように配置されている。従って複数の変位部材３が集合されている形状のより一層の小型化を図ることが可能とされている。
【００４１】
また、ハウジング４に開口５ａを設けることによって、レンズ２の挙動を阻害することなく上記機能を備えることが出来る。本実施形態では、レンズ２の変位範囲内に、ハウジング４が収められている。従って、アクチュエータにおいてレンズが挙動するのに必要な空間とアクチュエータの厚みを含めた全体の厚みで考えた場合、全体厚みを大きくすることなく、平面面積を小さくすることができる。このことにより、外形をより小型にすることができる。
【００４２】
なお、本実施形態では、変位部材３が金属板からなり、その上面に圧電素子１１が貼り合わされていた。すなわち、ユニモルフ構造のアクチュエータが構成されていた。これに対して、変位部材３の下面にも圧電素子１１を貼り付け、バイモルフ構造により変位部材３を屈曲変位させてもよい。このように、圧電素子１１を用いることで、電圧による絶対値制御が可能となるため、レンズ２を高精度に動かす用途に適している。また、変位部材３をバイモルフ構造とすることで、変位部材３に温度が加わった場合の、貼り合わせ部材の線膨脹係数の差による変位部材３の反りの影響を少なくすることができる。上記変位部材３の初期位置が経時的に変わったり、変位性能が大きく劣化したりするので、反りはレンズ２を動かす用途にとって悪影響を与える。バイモルフ構造とすることにより、この様な変位部材３の変位劣化を防ぐことが出来る。
【００４３】
また、上記実施形態では、レンズ２を支持する支持部８が複数の変位部材３と一体に金属板により連ねられていたが、支持部８は複数の変位部材３と別部材で構成されていてもよい。その場合、円環状の支持部材とレンズ２との接合構造も適宜変形することができる。例えば、図６（ａ）及び図６（ｂ）に示す円環状の支持部８Ｂを用いてもよい。ここでは、レンズ２の周縁部２ａを上下から挟み込む挟持部８ａ，８ｃが周方向において複数設けられている。
【００４４】
なお、上記ハウジング４において、底板部５の上面と、取付部６の上面との寸法は、図７（ａ）に示すように変位した場合に、変位部材３の第２の端部３ｂが底板部５の上面に接触するように選ばれている。そのため、変位部材３の屈曲変位量が制限され、変位部材３のクラックを防止することができる。従って、好ましくは、ハウジング４の内面と、変位部材３との間のクリアランスの大きさＵ１を、変位部材３の限界たわみ量Ｕ２以下とすることが望ましい。ここで、上記クリアランスＵ１とは、変位部材３の第２の端部３ｂ側における変位部材３とハウジング４の底板部５の上面との間の距離である。
【００４５】
上記実施形態では、４個の変位部材３が配置されていたが、レンズ２の光軸方向への移動や傾きを調整するには、変位部材３は複数配置されていることが好ましく、特に、３個もしくは４個の変位部材３を用いることが望ましい。さらに、本実施形態のように、４個の変位部材３を、レンズ２中心に対して等方性を有するように配置することがより望ましい。
【００４６】
変位部材３の数を３個以上とすることにより、レンズ２の位置を容易に制御することができる。もっとも、変位部材の数を増やすと、レンズ変位装置の平面積が大きくなるおそれがある。また、全体の面積を一定として、変位部材の配置個数を多くしていくと、図８に示すように、１つの変位部材あたりの変位量が小さくなっていく。従って、変位部材の数は多すぎないことが望ましい。
【００４７】
もっとも、カメラの手振れ補正を実現するには、２軸の角度変位制御を行う。そのため、好ましくは、３個の変位部材３を用いるより、４個の変位部材３を用いることが望ましい。さらに本目的では、駆動対象物はレンズに限らず、平面表面を有した透過材料でも構わない。レンズは、機能上、曲率を持った面を有しているため、レンズ自体を傾かせてもセンサに向かう光路をシフトさせることが難しい。平板材料であれば、傾かせることで、センサに向かう光路をシフトさせることが可能となる。つまり、手振れ補正の目的に適している。
【００４８】
上記実施形態では、易変形部３ｇにおいて、複数の切欠き３ｇ１，３ｇ２が設けられていた。もっとも図９に示すように、第２の端部３ｂ側において上記易変形部が設けられておらずともよい。
【００４９】
また、図１０〜図１４に示す第２〜第６の例のように易変形部を変形してもよい。図１０に示す易変形部３ｇの第２の例では、複数の貫通孔３ｇ３が第２の変位部３ｆにおいて第２の端部３ｂ側に設けられている。このように、複数の貫通孔３ｇ３を設けて易変形部３ｇを形成してもよい。あるいは図１１に示す第３の例のように、薄肉部３ｇ４を設けて易変形部３ｇを構成してもよい。
【００５０】
さらには、図１２に示すように、第２の端部側において、切欠きではなく、第２の端部３ｂ近傍において細幅部３ｇ５を設けて易変形部３ｇを形成してもよい。
【００５１】
また、図１３に示すように、平面視した場合、ミアンダ形状の易変形部３ｇを形成してもよい。
【００５２】
また、図１４に示すように、第２の端部３ｂ近傍において、幅の細いブリッジ３ｇ６，３ｇ６からなる易変形部３ｇを第２の変位部３ｆの内側の側辺に設けてもよい。このように、第２の端部３ｂ近傍に設けられる易変形部３ｇの形状は種々変形することができる。
【００５３】
図１５は、上記易変形部が設けられていない場合のレンズ２の変位挙動を示す模式的正面図であり、図１６は、上記易変形部３ｇが設けられている場合のレンズ２の変位挙動を示す模式的正面図である。図１５の場合に比べ、易変形部３ｇが設けられておれば、変位部材３による応力を易変形部３ｇが設けられている部分で吸収することができるため、レンズ２を歪ませることなく、レンズ２を変位させることができる。
【００５４】
また、図１７は、上記レンズ変位装置１における変位部材３の変位に際しての固定端側及び第２の端部側における変位方向を示す模式的正面断面図である。変位部材３は、第１の端部３ａ側の部分が前述した固定端とされている。図１７に示すように、第２の端部３ｂが上方に移動するように変位している場合、この固定端においては、回転軸Ｃ１の回りにおいて反時計方向に変位部材３が変位することとなる。逆に、変位部材３の第２の端部３ｂ側においては、すなわちレンズ２に連結されている側の端部においては、回転軸Ｃ２の回りにおいて時計方向に変位部材３が移動することとなる。このように、変位部材３の変位による回転軸Ｃ１の回りの回転方向と、変位部材３のベンディングによる回転軸Ｃ２の回りの回転方向が逆向きとされている。この場合、回転軸Ｃ１及び回転軸Ｃ２の軸方向が平行であるため、変位部材３の変位を阻害することなく、変位量をレンズ２に効率良く伝えることができる。さらに、レンズ２を光軸方向に動かす場合、精度よく直動駆動させることができ、駆動時のレンズ２の姿勢精度を向上させることが出来る。このことにより、回転軸Ｃ１と回転軸Ｃ２の軸方向が平行であり、かつ変位による回転方向が逆向きであることが望ましい。
【００５５】
また、図２に示すように、上記回転軸Ｃ２が、第２の変位部３ｆが延びる方向Ｄ１と平行であることが望ましい。それによって、変位部材３の変位を阻害することなく、レンズ２を効率良く変位させることができる。
【００５６】
なお、上述した実施形態では、第１，第２の変位部３ｅ，３ｆが９０°より大きく角度をなすように連ねられていた。図１８に示す変位部材２３のように、第１の変位部２３ｅと第２の変位部２３ｆとは９０°の角度をなすように連ねられていてもよい。ここでは、第１の変位部２３ｅ及び第２の変位部２３ｆは、いずれも一定長の矩形のストリップ状の形状を有している。そして、第１の変位部２３ｅにおいて、上下に圧電素子１１Ａが貼り合わされている。
【００５７】
このように、本発明におけるレンズ変位装置の変位部材は、第１の変位部と第２の変位部とが９０°以上、１８０°未満の角度をなすように連ねられておればよく、それによって、第１の端部側の固定部分を固定端とし、変位部材を変位させた場合、第２の端部側において大きな変位量を得ることができる。
【００５８】
また、本実施形態においては、光軸方向から見て、レンズ２の外側の領域にアクチュエータが配置されているため、アクチュエータによって、レンズ２への集光が妨げられ難い。
【００５９】
なお、上記実施形態では、携帯電話のカメラのレンズの光軸方向の位置及び／または傾きを調整する用途につき説明したが、これに限られるものではない。本発明のレンズ変位装置は、様々な光学機器のレンズ、もしくは、プリズム、透過性のある光学材料の位置を制御するのにも広く用いることができる。
【符号の説明】
【００６０】
１…レンズ変位装置
２…レンズ
２ａ…周縁部
３…変位部材
３ａ，３ｂ…第１，第２の端部
３ｃ…固定部
３ｄ…固定孔
３ｅ，３ｆ…第１，第２の変位部
３ｇ…易変形部
３ｇ１，３ｇ２…切欠き
３ｇ３…貫通孔
３ｇ４…薄肉部
３ｇ５…細幅部
３ｇ６…ブリッジ
３ｈ…内縁
４…ハウジング
５…底板部
５ａ…開口
６…取付部
７…金属板
８，８Ｂ…支持部
８ａ，８ｃ…挟持部
９…接合材
１１，１１Ａ…圧電素子
１１ａ…圧電板
１１ｂ，１１ｃ…電極
２３…変位部材
２３ｅ，２３ｆ…第１，第２の変位部
【図１】
2015005216.tif 000003
【図２】
2015005216.tif 000004
【図３】
2015005216.tif 000005
【図４】
2015005216.tif 000006
【図５】
2015005216.tif 000007
【図６】
2015005216.tif 000008
【図７】
2015005216.tif 000009
【図８】
2015005216.tif 000010
【図９】
2015005216.tif 000011
【図１０】
2015005216.tif 000012
【図１１】
2015005216.tif 000013
【図１２】
2015005216.tif 000014
【図１３】
2015005216.tif 000015
【図１４】
2015005216.tif 000016
【図１５】
2015005216.tif 000017
【図１６】
2015005216.tif 000018
【図１７】
2015005216.tif 000019
【図１８】
2015005216.tif 000020
【国際調査報告】
2015005216.tif 000021
2015005216.tif 000022